【手続補正書】
【提出日】平成17年11月22日(2005.11.22)
【手続補正１】
【補正対象書類名】明細書
【補正対象項目名】発明の名称
【補正方法】変更
【補正の内容】
【発明の名称】ＥＬ表示装置および当該ＥＬ表示装置の駆動方法
【手続補正２】
【補正対象書類名】明細書
【補正対象項目名】特許請求の範囲
【補正方法】変更
【補正の内容】
【特許請求の範囲】
【請求項１】  アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路とを具備し、
前記画素は、ＥＬ素子と、前記ＥＬ素子に電流を供給する駆動用トランジスタ素子と、前記駆動用トランジスタ素子または前記駆動用トランジスタ素子とカレントミラー回路を構成する第２の駆動用トランジスタ素子に、前記ソースドライバ回路が出力する階調電流を印加するスイッチング素子を有し、
前記ソースドライバは、各ソース信号線に対応して、単位電流または前記単位電流の略整数倍の電流を発生する単位トランジスタ素子が複数個形成されており、
前記ソースドライバは、前記トランジスタ素子の個数の選択により前記階調電流を出力し、
前記駆動用トランジスタ素子と前記スイッチング素子は、同一チャンネルトランジスタ素子であり、
前記単位トランジスタ素子は、前記駆動用トランジスタ素子と逆極性チャンネルのトランジスタ素子であることを特徴とするＥＬ表示装置。
【請求項２】  アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路とを具備し、
前記画素は、ＥＬ素子と、前記ＥＬ素子に電流を供給する駆動用トランジスタ素子と、前記駆動用トランジスタ素子または前記駆動用トランジスタ素子とカレントミラー回路を構成する第２の駆動用トランジスタ素子に、前記ソースドライバ回路が出力する階調電流を印加するスイッチング素子を有し、
前記ソースドライバは、各ソース信号線に対応して、単位電流または前記単位電流の略整数倍の電流を発生する単位トランジスタ素子が複数個形成されており、
前記ソースドライバは、前記単位トランジスタ素子の個数の選択により前記階調電流を出力し、
前記ソースドライバは、基準電流発生回路を有し、前記基準電流発生回路が発生する基準電流の大きさに略比例して前記階調電流の大きさが変化するように構成されていることを特徴とするＥＬ表示装置。
【請求項３】  アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路とを具備し、
前記画素は、ＥＬ素子と、前記ＥＬ素子に電流を供給する駆動用トランジスタ素子と、前記駆動用トランジスタ素子または前記駆動用トランジスタ素子とカレントミラー回路を構成する第２の駆動用トランジスタ素子に、前記ソースドライバ回路が出力する階調電流を印加するスイッチング素子を有し、
前記ソースドライバは、各ソース信号線に対応して、単位電流または前記単位電流の略整数倍の電流を発生する単位トランジスタ素子が複数個形成されており、
前記ソースドライバは、前記単位トランジスタ素子の個数の選択により前記階調電流を出力し、
前記電圧出力回路が出力し、前記ソース信号線に印加する電圧は、前記ソース信号線に印加する階調電流の大きさに対応して変化できることを特徴とするＥＬ表示装置。
【請求項４】  アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
第１のゲートドライバと、
第２のゲートドライバとを具備し、
前記画素は、ＥＬ素子と、前記ＥＬ素子に電流を供給する駆動用トランジスタ素子と、前記ＥＬ素子に印加される電流経路に配置された第１のスイッチング素子と、前記駆動用トランジスタ素子または前記駆動用トランジスタ素子とカレントミラー回路を構成する第２の駆動用トランジスタ素子に、前記ソースドライバ回路が出力する階調電流を印加する第２のスイッチング素子を有し、
前記第１のゲートドライバは、前記第２のスイッチング素子をオンオフ制御し、
前記第２のゲートドライバは、前記第１のスイッチング素子をオンオフ制御することを特徴とするＥＬ表示装置。
【請求項５】  アクティブマトリックス型のＥＬ表示装置であって、
複数のソース信号線と、
ＥＬ素子を有する画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
ゲートドライバとを具備し、
前記ゲートドライバに印加される信号は、前記ソースドライバに入力され、前記ソースドライバでレベルシフトして、前記ゲートドライバに印加されることを特徴とするＥＬ表示装置。
【請求項６】  アクティブマトリックス型のＥＬ表示装置であって、
複数のソース信号線と、
ＥＬ素子を有する画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
ゲートドライバとを具備し、
前記ＥＬ表示装置は、赤、緑、青の３原色の画素と、白色の画素がマトリックス状に配置されていることを特徴とするＥＬ表示装置。
【請求項７】  アクティブマトリックス型のＥＬ表示装置であって、
複数のソース信号線と、
ＥＬ素子と前記ＥＬ素子に駆動電流を供給する駆動用トランジスタを有する画素がマトリックス状に配置された表示領域と、
前記ソースドライバ内または前記ソースドライバ外に、前記ソース信号線にプリチャージまたはディスチャージ電圧を印加する電圧出力回路と、
ゲートドライバとを具備し、
前記電圧出力回路が出力する電圧は、前記駆動用トランジスタが電流を流さない電圧であることを特徴とするＥＬ表示装置。
【請求項８】  アクティブマトリックス型のＥＬ表示装置であって、
複数のソース信号線と、
ＥＬ素子と前記ＥＬ素子に駆動電流を供給する駆動用トランジスタを有する画素がマトリックス状に配置された表示領域と、
前記ソースドライバ内または前記ソースドライバ外に、前記ソース信号線にプリチャージまたはディスチャージ電圧を印加する電圧出力回路と、
ゲートドライバとを具備し、
前記電圧出力回路が出力する電圧は、前記駆動用トランジスタが低階調領域の電流以下となる電圧であることを特徴とするＥＬ表示装置。
【請求項９】  アクティブマトリックス型のＥＬ表示装置であって、
複数のソース信号線と、
ＥＬ素子を有する画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
ゲートドライバとを具備し、
前記ＥＬ表示装置は、少なくとも３原色の画素を有し、
前記電圧出力回路は、前記３原色の画素で、独立に異なるプリチャージ電圧またはディスチャージ電圧を印加できることを特徴とするＥＬ表示装置。
【請求項１０】  アクティブマトリックス型のＥＬ表示装置であって、
複数のソース信号線と、
ＥＬ素子を有する画素がマトリックス状に配置された表示領域と、
前記ソース信号線に接続された第１のソースドライバと、第２のソースドライバと、
前記ソースドライバ内または前記ソースドライバ外に、前記ソース信号線にプリチャージまたはディスチャージ電圧を印加する電圧出力回路と、
ゲートドライバとを具備し、
前記ＥＬ表示装置の表示領域は、第１の表示領域と第２の表示領域から構成され、
前記第１のソースドライバは、前記第１の表示領域を駆動し、
前記第２のソースドライバは、前記第２の表示領域を駆動することを特徴とするＥＬ表示装置。
【請求項１１】  前記ゲートドライバは、前記画素と同一プロセス工程で形成され、ソースドライバ回路は、半導体チップで形成されていることを特徴とする請求項４から請求項１０のいずれかに記載のＥＬ表示装置。
【請求項１２】  前記ゲートドライバは、複数画素行を同時に選択して、前記ソースドライバ回路からの映像信号を前記複数の画素行に印加し、
第１行目の画素行もしくはＩ画素行が選択される時には、ダミー画素行が選択されることを特徴とする請求項４から請求項１０のいずれかに記載のＥＬ表示装置。
【請求項１３】  アクティブマトリックス型のＥＬ表示装置は、第１の色と第２の色の画素がマトリックス状に配置され、
前記第１のゲートドライバは、前記第１の色と第２の色の画素の第２のスイッチング素子を同時にオンオフ制御し、
前記第２のゲートドライバは、前記第１の色の画素の第１のスイッチング素子と、前記第２の色の画素の第２のスイッチング素子とを、独立してオンオフ制御できることを特徴とする請求項４記載のＥＬ表示装置。
【請求項１４】  前記ソースドライバの電源電圧が、前記画素のアノード電圧以上であることを特徴とする請求項１から請求項１０のいずれかに記載のＥＬ表示装置。
【請求項１５】  ＥＬ表示装置は、複数の色の画素がマトリックス状に配置されており、
前記電圧出力回路は、前記複数の色に対応して、独立にプリチャージまたはディスチャージ電圧を設定でき、
プリチャージまたはディスチャージ電圧を印加する時間は１水平走査期間の１％以上１０％以下であることを特徴とすることを特徴とする請求項１から請求項１０のいずれかに記載のＥＬ表示装置。
【請求項１６】  前記スイッチング素子は、ダブルゲート以上のゲート構成からなるトランジスタ素子であることを特徴とする請求項１から請求項１０のいずれかに記載のＥＬ表示装置。
【請求項１７】  レーザーアニール時に、レーザー照射スポットの長手方向を前記ソース信号線に略平行となるように照射して作製したことを特徴とする請求項１から請求項１０のいずれかに記載のＥＬ表示装置。
【請求項１８】  前記ソースドライバが出力する階調数をＫとし、前記単位トランジスタ素子の大きさをＳｔ（平方μｍ）としたとき、４０  ≦  Ｋ／√（Ｓｔ）  かつ  Ｓｔ  ≦  ３００を満足することを特徴とする請求項１から請求項１０のいずれかに記載のＥＬ表示装置。
【請求項１９】  請求項１から請求項１０のいずれかに記載のＥＬ表示装置の駆動方法であって、
表示領域と非表示領域との比を変化させる、あるいは表示画面の面積に対し非表示領域の面積を変化させる、あるいは表示状態の画素数を増減することにより、画面の輝度あるいは明るさを調整することを特徴とするＥＬ表示装置の駆動方法。
【請求項２０】  請求項１から請求項１０のいずれかに記載のＥＬ表示装置の駆動方法であって、
画面に占める表示領域を複数に分割できることを特徴とするＥＬ表示装置の駆動方法。
【請求項２１】  請求項１から請求項１０のいずれかに記載のＥＬ表示装置の駆動方法であって、
画面に占める表示領域を複数に分割でき、その分割数を動画表示と静止画表示で異ならせることができることを特徴とするＥＬ表示装置の駆動方法。
【請求項２２】  請求項１から請求項１０のいずれかに記載のＥＬ表示装置の駆動方法であって、
画面に占める非表示領域が、帯状となって画面の上から下方向または画面の下から上方向に移動することを特徴とするＥＬ表示装置の駆動方法。
【請求項２３】  請求項１から請求項１０のいずれかに記載のＥＬ表示装置の駆動方法であって、
第１のフィールドで奇数画素行が書き込まれ、前記第１のフィールドの次の第２のフィールドで偶数画素行が書き込まれることを特徴とするＥＬ表示装置の駆動方法。
【請求項２４】  請求項１から請求項１０のいずれかに記載のＥＬ表示装置の駆動方法であって、
第１の水平走査期間において、ｎ画素行（ｎは２以上の整数）が同時に選択され、前記選択されたｎ画素行に画像が書き込まれ、
前記第１の水平走査期間の次の第２の水平走査期間において、少なくとも１画素行ずれて、ｎ画素行（ｎは２以上の整数）が同時に選択され、前記選択されたｎ画素行に画像が書き込まれることを特徴とするＥＬ表示装置の駆動方法。
【請求項２５】  請求項１から請求項１０のいずれかに記載のＥＬ表示装置の駆動方法であって、
第１のフィールドと第２フィールドで１画面を構成するＥＬ表示装置の駆動方法であって、
前記第１のフィールドと前記第２のフィールドで、複数画素行を同時に選択し、ソース信号線に印加された電流を前記複数画素行に分割して入力し、
前記第１のフィールドと第２のフィールドで同時に選択する画素行が１画素行ずれていることを特徴とするＥＬ表示装置の駆動方法。
【手続補正３】
【補正対象書類名】明細書
【補正対象項目名】００１３
【補正方法】変更
【補正の内容】
【００１３】
図１あるいは特願平１１−３２７６３７のカレントミラー構成などの映像信号を電流で出力する方式では、ソースドライバ回路１４の出力段インピーダンスが高い。そのため、ソース信号線１８への映像信号の書込みが黒表示領域において困難になるという課題がある。図２はその理由を説明する説明図である。
【手続補正４】
【補正対象書類名】明細書
【補正対象項目名】００２１
【補正方法】変更
【補正の内容】
【００２１】
【課題を解決するための手段】
上述した課題を解決するために、第１の本発明は、アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路とを具備し、
前記画素は、ＥＬ素子と、前記ＥＬ素子に電流を供給する駆動用トランジスタ素子と、前記駆動用トランジスタ素子または前記駆動用トランジスタ素子とカレントミラー回路を構成する第２の駆動用トランジスタ素子に、前記ソースドライバ回路が出力する階調電流を印加するスイッチング素子を有し、
前記ソースドライバは、各ソース信号線に対応して、単位電流または前記単位電流の略整数倍の電流を発生する単位トランジスタ素子が複数個形成されており、
前記ソースドライバは、前記トランジスタ素子の個数の選択により前記階調電流を出力し、
前記駆動用トランジスタ素子と前記スイッチング素子は、同一チャンネルトランジスタ素子であり、
前記単位トランジスタ素子は、前記駆動用トランジスタ素子と逆極性チャンネルのトランジスタ素子であることを特徴とするＥＬ表示装置である。
また、第２の本発明は、アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路とを具備し、
前記画素は、ＥＬ素子と、前記ＥＬ素子に電流を供給する駆動用トランジスタ素子と、前記駆動用トランジスタ素子または前記駆動用トランジスタ素子とカレントミラー回路を構成する第２の駆動用トランジスタ素子に、前記ソースドライバ回路が出力する階調電流を印加するスイッチング素子を有し、
前記ソースドライバは、各ソース信号線に対応して、単位電流または前記単位電流の略整数倍の電流を発生する単位トランジスタ素子が複数個形成されており、
前記ソースドライバは、前記単位トランジスタ素子の個数の選択により前記階調電流を出力し、
前記ソースドライバは、基準電流発生回路を有し、前記基準電流発生回路が発生する基準電流の大きさに略比例して前記階調電流の大きさが変化するように構成されていることを特徴とするＥＬ表示装置である。
また、第３の本発明は、アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路とを具備し、
前記画素は、ＥＬ素子と、前記ＥＬ素子に電流を供給する駆動用トランジスタ素子と、前記駆動用トランジスタ素子または前記駆動用トランジスタ素子とカレントミラー回路を構成する第２の駆動用トランジスタ素子に、前記ソースドライバ回路が出力する階調電流を印加するスイッチング素子を有し、
前記ソースドライバは、各ソース信号線に対応して、単位電流または前記単位電流の略整数倍の電流を発生する単位トランジスタ素子が複数個形成されており、
前記ソースドライバは、前記単位トランジスタ素子の個数の選択により前記階調電流を出力し、
前記電圧出力回路が出力し、前記ソース信号線に印加する電圧は、前記ソース信号線に印加する階調電流の大きさに対応して変化できることを特徴とするＥＬ表示装置である。
また、第４の本発明は、アクティブマトリックス型のＥＬ表示装置であって、
複数のソース信号線と、
画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
第１のゲートドライバと、
第２のゲートドライバとを具備し、
前記画素は、ＥＬ素子と、前記ＥＬ素子に電流を供給する駆動用トランジスタ素子と、前記ＥＬ素子に印加される電流経路に配置された第１のスイッチング素子と、前記駆動用トランジスタ素子または前記駆動用トランジスタ素子とカレントミラー回路を構成する第２の駆動用トランジスタ素子に、前記ソースドライバ回路が出力する階調電流を印加する第２のスイッチング素子を有し、
前記第１のゲートドライバは、前記第２のスイッチング素子をオンオフ制御し、
前記第２のゲートドライバは、前記第１のスイッチング素子をオンオフ制御することを特徴とするＥＬ表示装置である。
また、第５の本発明は、アクティブマトリックス型のＥＬ表示装置であって、
複数のソース信号線と、
ＥＬ素子を有する画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
ゲートドライバとを具備し、
前記ゲートドライバに印加される信号は、前記ソースドライバに入力され、前記ソースドライバでレベルシフトして、前記ゲートドライバに印加されることを特徴とするＥＬ表示装置である。
また、第６の本発明は、アクティブマトリックス型のＥＬ表示装置であって、
複数のソース信号線と、
ＥＬ素子を有する画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
ゲートドライバとを具備し、
前記ＥＬ表示装置は、赤、緑、青の３原色の画素と、白色の画素がマトリックス状に配置されていることを特徴とするＥＬ表示装置である。
また、第７の本発明は、アクティブマトリックス型のＥＬ表示装置であって、
複数のソース信号線と、
ＥＬ素子と前記ＥＬ素子に駆動電流を供給する駆動用トランジスタを有する画素がマトリックス状に配置された表示領域と、
前記ソースドライバ内または前記ソースドライバ外に、前記ソース信号線にプリチャージまたはディスチャージ電圧を印加する電圧出力回路と、
ゲートドライバとを具備し、
前記電圧出力回路が出力する電圧は、前記駆動用トランジスタが電流を流さない電圧であることを特徴とするＥＬ表示装置である。
また、第８の本発明は、アクティブマトリックス型のＥＬ表示装置であって、
複数のソース信号線と、
ＥＬ素子と前記ＥＬ素子に駆動電流を供給する駆動用トランジスタを有する画素がマトリックス状に配置された表示領域と、
前記ソースドライバ内または前記ソースドライバ外に、前記ソース信号線にプリチャージまたはディスチャージ電圧を印加する電圧出力回路と、
ゲートドライバとを具備し、
前記電圧出力回路が出力する電圧は、前記駆動用トランジスタが低階調領域の電流以下となる電圧であることを特徴とするＥＬ表示装置である。
また、第９の本発明は、アクティブマトリックス型のＥＬ表示装置であって、
複数のソース信号線と、
ＥＬ素子を有する画素がマトリックス状に配置された表示領域と、
前記ソース信号線に接続されたソースドライバと、
前記ソースドライバ内または前記ソースドライバ外に、前記ソース信号線にプリチャージまたはディスチャージ電圧を印加する電圧出力回路と、
ゲートドライバとを具備し、
前記ＥＬ表示装置は、少なくとも３原色の画素を有し、
前記電圧出力回路は、前記３原色の画素で、独立に異なるプリチャージ電圧またはディスチャージ電圧を印加できることを特徴とするＥＬ表示装置である。
また、第１０の本発明は、アクティブマトリックス型のＥＬ表示装置であって、
複数のソース信号線と、
ＥＬ素子を有する画素がマトリックス状に配置された表示領域と、
前記ソース信号線に接続された第１のソースドライバと、第２のソースドライバと、
前記ソースドライバ内または前記ソースドライバ外に、前記ソース信号線にプリチャージまたはディスチャージ電圧を印加する電圧出力回路と、
ゲートドライバとを具備し、
前記ＥＬ表示装置の表示領域は、第１の表示領域と第２の表示領域から構成され、
前記第１のソースドライバは、前記第１の表示領域を駆動し、
前記第２のソースドライバは、前記第２の表示領域を駆動することを特徴とするＥＬ表示装置である。
また、第１１の本発明は、前記ゲートドライバは、前記画素と同一プロセス工程で形成され、ソースドライバ回路は、半導体チップで形成されていることを特徴とする第４から第１０の本発明のいずれかのＥＬ表示装置である。
また、第１２の本発明は、前記ゲートドライバは、複数画素行を同時に選択して、前記ソースドライバ回路からの映像信号を前記複数の画素行に印加し、
第１行目の画素行もしくはＩ画素行が選択される時には、ダミー画素行が選択されることを特徴とする第４から第１０の本発明のいずれかのＥＬ表示装置である。
また、第１３の本発明は、アクティブマトリックス型のＥＬ表示装置は、第１の色と第２の色の画素がマトリックス状に配置され、
前記第１のゲートドライバは、前記第１の色と第２の色の画素の第２のスイッチング素子を同時にオンオフ制御し、
前記第２のゲートドライバは、前記第１の色の画素の第１のスイッチング素子と、前記第２の色の画素の第２のスイッチング素子とを、独立してオンオフ制御できることを特徴とする第４の本発明のＥＬ表示装置である。
また、第１４の本発明は、前記ソースドライバの電源電圧が、前記画素のアノード電圧以上であることを特徴とする第１から第１０の本発明のいずれかのＥＬ表示装置である。
また、第１５の本発明は、ＥＬ表示装置は、複数の色の画素がマトリックス状に配置されており、
前記電圧出力回路は、前記複数の色に対応して、独立にプリチャージまたはディスチャージ電圧を設定でき、
プリチャージまたはディスチャージ電圧を印加する時間は１水平走査期間の１％以上１０％以下であることを特徴とすることを特徴とする第１から第１０の本発明のいずれかのＥＬ表示装置である。
また、第１６の本発明は、前記スイッチング素子は、ダブルゲート以上のゲート構成からなるトランジスタ素子であることを特徴とする第１から第１０の本発明のいずれかのＥＬ表示装置である。
また、第１７の本発明は、レーザーアニール時に、レーザー照射スポットの長手方向を前記ソース信号線に略平行となるように照射して作製したことを特徴とする第１から第１０の本発明のいずれかのＥＬ表示装置である。
また、第１８の本発明は、前記ソースドライバが出力する階調数をＫとし、前記単位トランジスタ素子の大きさをＳｔ（平方μｍ）としたとき、４０  ≦  Ｋ／√（Ｓｔ）  かつ  Ｓｔ  ≦  ３００を満足することを特徴とする第１から第１０の本発明のいずれかのＥＬ表示装置である。
また、第１９の本発明は、第１から第１０の本発明のいずれかのＥＬ表示装置の駆動方法であって、
表示領域と非表示領域との比を変化させる、あるいは表示画面の面積に対し非表示領域の面積を変化させる、あるいは表示状態の画素数を増減することにより、画面の輝度あるいは明るさを調整することを特徴とするＥＬ表示装置の駆動方法である。
また、第２０の本発明は、第１から第１０の本発明のいずれかのＥＬ表示装置の駆動方法であって、
画面に占める表示領域を複数に分割できることを特徴とするＥＬ表示装置の駆動方法である。
また、第２１の本発明は、第１から第１０の本発明のいずれかのＥＬ表示装置の駆動方法であって、
画面に占める表示領域を複数に分割でき、その分割数を動画表示と静止画表示で異ならせることができることを特徴とするＥＬ表示装置の駆動方法である。
また、第２２の本発明は、第１から第１０の本発明のいずれかのＥＬ表示装置の駆動方法であって、
画面に占める非表示領域が、帯状となって画面の上から下方向または画面の下から上方向に移動することを特徴とするＥＬ表示装置の駆動方法である。
また、第２３の本発明は、第１から第１０の本発明のいずれかのＥＬ表示装置の駆動方法であって、
第１のフィールドで奇数画素行が書き込まれ、前記第１のフィールドの次の第２のフィールドで偶数画素行が書き込まれることを特徴とするＥＬ表示装置の駆動方法である。
また、第２４の本発明は、第１から第１０の本発明のいずれかのＥＬ表示装置の駆動方法であって、
第１の水平走査期間において、ｎ画素行（ｎは２以上の整数）が同時に選択され、前記選択されたｎ画素行に画像が書き込まれ、
前記第１の水平走査期間の次の第２の水平走査期間において、少なくとも１画素行ずれて、ｎ画素行（ｎは２以上の整数）が同時に選択され、前記選択されたｎ画素行に画像が書き込まれることを特徴とするＥＬ表示装置の駆動方法である。
また、第２５の本発明は、第１から第１０の本発明のいずれかのＥＬ表示装置の駆動方法であって、
第１のフィールドと第２フィールドで１画面を構成するＥＬ表示装置の駆動方法であって、
前記第１のフィールドと前記第２のフィールドで、複数画素行を同時に選択し、ソース信号線に印加された電流を前記複数画素行に分割して入力し、
前記第１のフィールドと第２のフィールドで同時に選択する画素行が１画素行ずれていることを特徴とするＥＬ表示装置の駆動方法である。
【手続補正５】
【補正対象書類名】明細書
【補正対象項目名】００４４
【補正方法】変更
【補正の内容】
【００４４】
トランジスタ１１はＬＤＤ（ｌｉｇｈｔｌｙ  ｄｏｐｅｄ  ｄｒａｉｎ）構造を採用することが好ましい。また、本明細書ではＥＬ素子として有機ＥＬ素子（ＯＥＬ、ＰＥＬ、ＰＬＥＤ、ＯＬＥＤなど多種多様な略称で記述される）１５を例にあげて説明するがこれに限定するものではなく、無機ＥＬ素子にも適用されることは言うまでもない。
【手続補正６】
【補正対象書類名】明細書
【補正対象項目名】００５６
【補正方法】変更
【補正の内容】
【００５６】
なお、コンデンサ（蓄積容量）１９の大きさは、０．２ｐＦ以上２ｐＦ以下とすることがよく、中でもコンデンサ（蓄積容量）１９の大きさは、０．４ｐＦ以上１．２ｐＦ以下とすることがよい。画素サイズを考慮してコンデンサ１９の容量を決定する。１画素に必要な容量をＣｓ（ｐＦ）とし、１画素が占める面積（開口率ではない）をＳｐ（平方μｍ）とすれば、５００／Ｓｐ  ≦  Ｃｓ  ≦  ２００００／Ｓｐとし、さらに好ましくは、１０００／Ｓｐ  ≦  Ｃｓ  ≦  １００００／Ｓｐとなるようにする。なお、トランジスタのゲート容量は小さいので、ここでいうＱとは、蓄積容量（コンデンサ）１９単独の容量である。
【手続補正７】
【補正対象書類名】明細書
【補正対象項目名】００６４
【補正方法】変更
【補正の内容】
【００６４】
第２のタイミングはトランジスタ１１ｂとトランジスタ１１ｃが閉じ、トランジスタ１１ｄが開くタイミングであり、そのときの等価回路は図３（ｂ）となる。トランジスタ１１ａのソース−ゲート間の電圧は保持されたままとなる。この場合、トランジスタ１１ａは常に飽和領域で動作するため、Ｉｗの電流は一定となる。
【手続補正８】
【補正対象書類名】明細書
【補正対象項目名】００９４
【補正方法】変更
【補正の内容】
【００９４】
たとえば、図１１０に図示するように、すべての画素１６を構成するトランジスタ１１をＰチャンネルで構成してもよい。また、ゲート信号線１７ａ１と１７ａ２を共通にし、ゲート信号線１７ａとしてもよい。図１１０に図示するように構成することにより、画素構成が簡単になり、製造歩留まりも向上する。
【手続補正９】
【補正対象書類名】明細書
【補正対象項目名】０１８７
【補正方法】変更
【補正の内容】
【０１８７】
図１７はゲート信号線１７の電圧波形およびＥＬの発光輝度を図示している。図１７で明らかなように、ゲート信号線１７ｂをＶｇｌにする期間（１Ｆ／Ｎ）を複数に分割（分割数Ｋ）している。つまり、Ｖｇｌにする期間は１Ｆ／（Ｋ・Ｎ）の期間をＫ回実施する。このように制御すれば、フリッカの発生を抑制でき、低フレームレートの画像表示を実現できる。また、この画像の分割数も可変できるように構成することが好ましい。たとえば、ユーザーが明るさ調整スイッチを押すことにより、あるいは明るさ調整ボリウムを回すことにより、この変化を検出してＫの値を変更してもよい。また、ユーザーが輝度を調整するように構成してもよい。表示する画像の内容、データにより手動で、あるいは自動的に変化させるように構成してもよい。
【手続補正１０】
【補正対象書類名】明細書
【補正対象項目名】０２６９
【補正方法】変更
【補正の内容】
【０２６９】
なお、ＥＬ素子１５をオンオフする周期は０．５ｍｓｅｃ以上にする必要がある。この周期が短いと、人間の目の残像特性により完全な黒表示状態とならず、画像がぼやけたようになり、あたかも解像度が低下したようになる。また、データ保持型の表示パネルの表示状態となる。しかし、オンオフ周期を１００ｍｓｅｃ以上になると、点滅状態に見える。したがって、ＥＬ素子のオンオフ周期は０．５ｍｓｅｃ以上１００ｍｓｅｃ以下にすべきである。さらに好ましくは、オンオフ周期を２ｍｓｅｃ以上３０ｍｓｅｃ以下にすべきである。さらに好ましくは、オンオフ周期を３ｍｓｅｃ以上２０ｍｓｅｃ以下にすべきである。
【手続補正１１】
【補正対象書類名】明細書
【補正対象項目名】０２７１
【補正方法】変更
【補正の内容】
【０２７１】
なお、黒画面の分割数は静止画と動画で変更できるように構成することが好ましい。分割数とは、Ｎ＝４では、７５％が黒画面であり、２５％が画像表示である。このとき、７５％の黒表示部を７５％の黒帯状態で画面の上下方向に走査するのが分割数１である。２５％の黒画面と２５／３％の表示画面の３ブロックで走査するのが分割数３である。静止画は分割数を多くする。動画は分割数を少なくする。切り替えは入力画像に応じて自動的（動画検出など）に行っても良く、ユーザーが手動で行ってもよい。また、表示装置の映像などに入力コンテンツに対応して切り替えするように構成すればよい。
【手続補正１２】
【補正対象書類名】明細書
【補正対象項目名】０２８０
【補正方法】変更
【補正の内容】
【０２８０】
なお、図１６などでは、ゲート信号線１７ｂをＶｇｌにする期間（１Ｆ／Ｎ）を複数に分割（分割数Ｋ）し、Ｖｇｌにする期間は１Ｆ／（Ｋ・Ｎ）の期間をＫ回実施するとしたがこれ限定するものではない。１Ｆ／（Ｋ・Ｎ）の期間をＬ（Ｌ≠Ｋ）回実施してもよい。つまり、本発明は、ＥＬ素子１５に流す期間（時間）を制御することにより画像５０を表示するものである。したがって、１Ｆ／（Ｋ・Ｎ）の期間をＬ（Ｌ≠Ｋ）回実施することは本発明の技術的思想に含まれる。また、Ｌの値を変化させることにより、画像５０の輝度をデジタル的に変更することができる。たとえば、Ｌ＝２とＬ＝３では５０％の輝度（コントラスト）変化をなる。これらの制御も、本発明の他の実施例にも適用できることは言うまでもない（もちろん、以降に説明する本発明にも適用できる）。これらも本発明のＮ倍パルス駆動である。
【手続補正１３】
【補正対象書類名】明細書
【補正対象項目名】０４９６
【補正方法】変更
【補正の内容】
【０４９６】
図６８はトランジスタ６８３のゲート電圧により内部配線６３８に流れる電流を変化させることで階調表示を行うものである。ゲート電圧は階調データにより変化する。階調データをデジタルアナログ変換部６８１によりアナログ信号に変化しこの信号が演算増幅器６８２を介してトランジスタ６８３のゲート電圧に入力されることで、電流を変化させる。
【手続補正１４】
【補正対象書類名】明細書
【補正対象項目名】０５２０
【補正方法】変更
【補正の内容】
【０５２０】
また、プリチャージ電圧は、黒表示領域に印加するものに限定するものではなく、前記実施例のように、白表示領域にソース信号線１８に白電圧となるようにプリチャージ電圧を印加してもよい。また、プリチャージ電圧は図６４に図示するアノード電圧Ｖｄｄ（駆動トランジスタ１１ａのソースあるいはドレイン端子電圧）より、０．２以上２．０（Ｖ）以下の範囲で変化させた電圧とすることがよい。さらに好ましくは、０．４以上１．２（Ｖ）以下の範囲で変化させた電圧とすることがよい。たとえば、図６４のように、駆動トランジスタ１１ａがＰチャンネルとし、Ｖｄｄ電圧が、５．５（Ｖ）とすれば、プリチャージ電圧は、５．３（Ｖ）以下３．５（Ｖ）以上にする。さらに好ましくは、プリチャージ電圧は、５．１（Ｖ）以下４．２（Ｖ）以上にする。
【手続補正１５】
【補正対象書類名】明細書
【補正対象項目名】０５２８
【補正方法】変更
【補正の内容】
【０５２８】
また、ＥＬ素子１５に電流を供給する駆動用トランジスタ（図１ではトランジスタ１１ａ）もＰチャンネルで構成することにより、ＥＬ素子１５のカソードが金属薄膜のべた電極に構成することができる。また、アノード電位Ｖｄｄから順方向にＥＬ素子１５に電流を流すことができる。以上の事項から、画素１６のトランジスタをＰチャンネルとし、ゲートドライバ１２のトランジスタもＰチャンネルとすることがよい。以上のことから、本発明の画素１６を構成するトランジスタ（駆動用トランジスタ、スイッチング用トランジスタ）をＰチャンネルで形成し、ゲートドライバ回路１２のトランジスタをＰチャンネルで構成するという事項は単なる設計事項ではない。